(57)【特許請求の範囲】
【請求項１】
一接続部となる略長方形状の第１接続開口と、同第１接続開口の面と直交する直交面側に設けられる他接続部となる略長方形状の第２接続開口とを有して、底板、底板の両端から立ち上がる一対の側板及び天板よりなる配管カバー同士を直交接続させる配管カバー用接続継手であって、第１接続開口を形成する底面板を延出させて、その一方の側面板となるよう第２接続開口を配設させるとともに該第１接続開口を形成する天面板を延出し屈曲させてその第２接続開口の他方の側面板とし、且つ同第２接続開口を第１接続開口を形成する側面板を延出した部分に開口させて形成してなる配管カバー用接続継手。
【請求項２】
前記第２接続開口を、前記第１接続開口の底面板からその天面板側に向け離隔し位置させたことを特徴とする請求項１記載の配管カバー用接続継手。
【請求項３】
前記第２接続開口を、前記第１接続開口の側面板と略同一面に位置させたことを特徴とする請求項１又は２記載の配管カバー用接続継手。
【請求項４】
前記第２接続開口を相対向する位置それぞれに配設させたことを特徴とする請求項１乃至３のいずれか一つの請求項に記載の配管カバー用接続継手。
【請求項５】
前記第２接続開口に、その開口を閉塞させる閉塞部材を設けることを特徴とする請求項４記載の配管カバー用接続継手。
【請求項６】
前記第１接続開口を形成する底面板、第２接続開口を形成する底面板及び一方の側面板を少なくとも有して予め壁面等の固定面に配設される後面側部材と、同後面側部材に取着されて前記第１接続開口及び第２接続開口を形成し、且つその後面側部材の前面開口をカバーするよう後面側部材に取着される前面側部材とに２分割し構成させたことを特徴とする請求項１乃至５のいずれか一つの請求項に記載の配管カバー用接続継手。
【請求項７】
前記後面側部材は、前記の各底面板それぞれに前記固定面に固定させる固定孔を設けたことを特徴とする請求項６記載の配管カバー用接続継手。
【発明の詳細な説明】
【０００１】
【発明の属する技術分野】
本発明は配管カバー用接続継手に関するものである。
【０００２】
【従来の技術】
従来、建物の外回りにて、エアコン配管である、冷媒チューブの被覆銅管やドレンホース等を保護する配管カバーがある。この配管カバーは、例えば、所定長さの長尺状に形成された、図８に示すように、壁面等の固定面に配設されてこのエアコン配管を配置する本体ベースＥと、同本体ベースＥに係合されてその前面開口Ｆをカバーし、上記エアコン配管を保護するよう配設される本体カバーＧとを備えて構成されている。このような配管カバーを建物の外壁面等に屈曲させて設けるときには、例えば同図８及び図９に示すような、エルボと呼ばれている配管カバー用接続継手を用いて接続され配設される。
【０００３】
これらの配管カバー用接続継手は、二つ割型で、建物の外壁等に木ねじ等の固定具にて固定されて上記エアコン配管を配置させる後面側部材Ａと、この後面側部材Ａに取着されてそのエアコン配管を保護するための前面側部材Ｂとで構成されている。そして、図８に示すフラットエルボＨは外壁面に沿って、図９に示すインターナルエルボＪは、テラス面あるいは軒天井等の水平面から垂直面の外壁面に沿って設けられる配管カバーを屈曲させるときの接続部分に使用することができる。
【０００４】
【発明が解決しようとする課題】
最近、複数の居室に設けられる複数の室内機と屋外に設けられる１つの室外機とをそれぞれ接続し各居室の空調を行う、多室対応型の空調システムが普及しつつある。この場合、室外機と各室内機とのエアコン配管の接続を行って上記の配管カバーが設けられる。しかしながら、上記従来の技術においては、例えば外壁面から軒天井にわたって設けられるエアコン配管を設置する場合に、図１０に示すように上記のフラットエルボＨとインターナルエルボＪとを直線状の配管カバーＩと組み合わせて設ける必要があった。そのため、配管カバーに使用する部品点数が多くなり、また、施工に手間がかかるという問題があった。
【０００５】
また、上記の場合、建物の外壁面の目立つ位置にフラットエルボＨを設けてエアコン配管を配置し配管カバーを設けることとなる。そのため、建物全体の外観を損ねるという問題もあり、例えば、外壁面の縁部となる軒天井と外壁面との交差部分から直接軒天井にわたって配管カバーを設けること、すなわち２つの直交する平面間にわたって直角状にダクトひねりをさせて配管カバーを設けることの可能な配管カバー用接続継手が要望されていた。
【０００６】
ところで、特開昭６３−１７５１４として開示されているもののような、互いに交差する配線路の分岐部位での開口上面を閉塞する溝形鋼材製配線路の分岐カバーを有する、二つ割型のＴ字状の配管カバー用接続継手がある。この配管カバー用接続継手はＴ字状で、その一端面である一接続部となる略長方形状の第１接続開口と、同第１接続開口の面と直交する直交面側に設けられている、他接続部となる、Ｔ字の他端面の略長方形状の第２接続開口とを有しており、この構成を用いて、上記のように外壁面から外壁面と軒天井との交差部分に沿って配管カバーを設け対応することも想定される。
【０００７】
しかし、この方法によると、室外機と各室内機間のエアコン配管系統数が多いときには、上記交差部分となる継手部材内にて、被覆銅管やドレンホース等のエアコン配管を２つの直交する平面にわたって直角状にひねって整然と設置させることのし辛いことが考えられ、またこの方法による場合、上記Ｔ字の、配管カバーを設けない、他の端面に向けて延出された左右何れか一方の接続部を切除して使用する必要もあり、さらにその切除部分を端材等を接着し閉塞させる必要もあって、施工に手間がかかるということも考えられる。
【０００８】
本発明は、上記事由に鑑みてなしたもので、その目的とするところは、２つの直交する平面にわたって直角状にダクトひねりをさせることができて、多数の配管を整然と設置し保護することの可能な配管カバー用接続継手を提供することにある。
【０００９】
【課題を解決するための手段】
上記目的を達成するために、本発明の配管カバー用接続継手にあっては、一接続部となる略長方形状の第１接続開口と、同第１接続開口の面と直交する直交面側に設けられる他接続部となる略長方形状の第２接続開口とを有して、底板、底板の両端から立ち上がる一対の側板及び天板よりなる配管カバー同士を直交接続させる配管カバー用接続継手であって、第１接続開口を形成する底面板を延出させて、その一方の側面板となるよう第２接続開口を配設させるとともに該第１接続開口を形成する天面板を延出し屈曲させてその第２接続開口の他方の側面板とし、且つ同第２接続開口を第１接続開口を形成する側面板を延出した部分に開口させて形成してなることを特徴としている。
【００１０】
これにより、第２接続開口が、その一方の側面板を、第１接続開口を形成する底面板を延出させて、その他方の側面板を、該第１接続開口を形成する天面板を延出し屈曲させてそれぞれ形成され、且つ該第１接続開口を形成する側面板を延出した部分に開口させて形成される。すなわち、１つの配管カバー用接続継手のみで、第２接続開口を、第１接続開口に対してひねりの位置に設けて、２つの直交する平面にわたって直角状にダクトひねりをさせることが可能となる。
【００１１】
そして、前記第２接続開口を、前記第１接続開口の底面板からその天面板側に向け離隔し位置させるのが好ましい。この場合、２つの直交する平面にわたって直角状にダクトひねりされる一方のダクトが、第１接続開口の底面板からその天面板側に向け離隔し位置させ配設された第２接続開口に装着される。
【００１２】
また、前記第２接続開口を、前記第１接続開口の側面板と略同一面に位置させるのが好ましい。この場合、第２接続開口が、第１接続開口を形成する一対の側面板の略同一面に位置させ配設されて、２つの直交する平面にわたって直角状にダクトひねりをさせることが可能となる。
【００１３】
また、前記第２接続開口を相対向する位置それぞれに配設させることが好ましい。この場合、配管カバーを、第１接続開口に対して左右両側の向きにダクトひねりをさせて接続させ設置することができる。
【００１４】
また、前記第２接続開口に、その開口を閉塞させる閉塞部材を設けるのが好ましい。この場合、第１接続開口の一対の側面板の対向位置にそれぞれ設けられた一方の第２接続開口に配管カバーを接続させ、他方の第２接続開口を閉塞部材にて閉塞することができる。
【００１５】
また、前記第１接続開口を形成する底面板、第２接続開口を形成する底面板及び一方の側面板を少なくとも有して予め壁面等の固定面に配設される後面側部材と、同後面側部材に取着されて前記第１接続開口及び第２接続開口を形成し、且つその後面側部材の前面開口をカバーするよう後面側部材に取着される前面側部材とに２分割し構成させるのが好ましい。この場合、後面側部材を、予め壁面等の固定面に固定させた後、前面側部材を該後面側部材に取着させてダクトとなる配管カバー同士の接続を行い、２つの直交する平面にわたって直角状にダクトひねりを行って設置できる。
【００１６】
また、前記後面側部材は、前記の各底面板それぞれに前記固定面に固定させる固定孔を設けるのが好ましい。この場合、後面側部材を２つの直交する平面それぞれに前記第１接続開口、第２接続開口を形成する各底面板を固定孔を介して固定させ前面側部材を該後面側部材に取着させて接続できる。したがって、配管カバー用接続継手が２つの直交する平面それぞれに固定されて確実に位置決めさせ接続させて美観良く施工ができる。
【００１７】
【発明の実施の形態】
図１乃至図４は、本発明の請求項１、３、４、５、６、７全てに対応する第１の実施の形態を示し、図５乃至図７は、本発明の請求項２に対応する第２の実施の形態を示している。
【００１８】
［第１の実施の形態］
図１は、第１の実施の形態の配管カバー用接続継手の概略構成を示す斜視図、図２は、同配管カバー用接続継手を示す分解斜視図、図３は、同配管カバー用接続継手の使用状態の説明図、図４は、同配管カバー用接続継手の使用状態の他の説明図である。
【００１９】
この実施の形態の配管カバー用接続継手９は、一接続部となる略長方形状の第１接続開口１と、同第１接続開口１の面と直交する直交面側に設けられる他接続部となる略長方形状の第２接続開口２とを有して、底板１０ａ、底板１０ａの両端から立ち上がる一対の側板１０ｂ，１０ｂ及び天板１０ｃよりなる配管カバー１０，１０同士を直交接続させる配管カバー用接続継手であって、第１接続開口１を形成する底面板３を延出させて、その一方の側面板７となるよう第２接続開口２を配設させるとともに該第１接続開口１を形成する天面板５を延出し屈曲させてその第２接続開口２の他方の側面板７とし、且つ同第２接続開口２を第１接続開口１を形成する側面板４を延出し開口させて形成してなる。
【００２０】
又、該実施の形態の配管カバー用接続継手９においては、前記第２接続開口２を、前記第１接続開口１の側面板４と略同一面に位置させてもいる。又、該実施の形態の配管カバー用接続継手９においては、前記第２接続開口２を相対向する位置それぞれに配設させてもいる。又、該実施の形態の配管カバー用接続継手９においては、前記第２接続開口２に、その開口を閉塞させる閉塞部材８を設けてもいる。
【００２１】
詳しくは、この配管カバー用接続継手９は、従来の技術の項にて説明したエアコン配管を建物の外回りにて保護する配管カバー１０を接続するもので、第１接続開口１、第２接続開口２は、それぞれその配管カバー１０の長方形状より僅かに大きい相似形状となっている。そして、この配管カバー用接続継手９を使用して例えば前出の図７に示すときのように、建物の外壁面から軒天井に、すなわち２つの直交する平面にわたって設けられるエアコン配管を設置するときに、図３に示すように、そのエアコン配管を直角状にひねりを加えて配置させて配管カバー１０，１０を設ける場合に使用することができる。
【００２２】
この場合、配管カバー用接続継手９は、図２に示すような二つ割型であり、硬質塩化ビニル樹脂等の合成樹脂製の後面側部材Ａと前面側部材Ｂとで構成されている。
【００２３】
後面側部材Ａは、この場合、上記の、略長方形状の第１接続開口１を形成する底面板３及びこの底面板３両端から立ち上がる側面板４，４の半分と、略長方形状の第２接続開口２を、その第１接続開口１の直交面側となる、底面板３の延出方向と直交方向の両端に形成する底面板６、及びその第２接続開口２の一方の側面板７及び他方の側面板７の略半分とを有している。この後面側部材Ａは、図３に示すように設けるときに、予め固定面Ｄとなる外壁面及び軒天井にわたって配設される。
【００２４】
また、前面側部材Ｂは、上記第１接続開口１を形成する天面板５、及びこの天面板５両端から立ち下がる側面板４，４の半分と、第２接続開口２を形成する他方の側面板７の半分とを有している。この前面側部材Ｂは、図３に示すように、上記後面側部材Ａに取着されてその後面側部材Ａの前面開口をカバーする。
【００２５】
後面側部材Ａには、底面板３及び底面板６それぞれの略中央に、前記固定面Ｄに木ねじ等の固定具を用いて固定させるための固定孔Ｃを２つづつ穿設してある。前面側部材Ｂは、後面側部材Ａとは、前面側部材Ｂに設けられている、図８にも示したような係合部Ｋを介して互いにその係合形状が凹凸嵌合するよう固着されるようになっている。なお、前面側部材Ｂをこの係合部Ｋ以外にねじ等の固定具を使用して後面側部材Ａに固着させても良い。
【００２６】
したがって、上記後面側部材Ａを、予め壁面等の固定面Ｄである２つの直交する平面それぞれに、前記第１接続開口１、第２接続開口２を形成する各底面板３，６を固定孔Ｃを介して固定させた後、前述のエアコン配管を後面側部材Ａにその前面開口から配置させ、前面側部材Ｂを該後面側部材Ａに取着させてダクトとなる配管カバー１０，１０同士の接続を行って２つの直交する平面にわたって直角状にダクトひねりを行って設置でき、また、配管カバー用接続継手９を、２つの直交する平面それぞれに確実に位置決めさせて固定させることができる。
【００２７】
閉塞部材８は、例えば硬質塩化ビニル樹脂等の合成樹脂材料にて、図２に示すように、第２接続開口２の外側に装着させる環状に立ち上げた装着部８ａを有して略板状に形成されている。この閉塞部材８は、同図に破線矢印に示す方向に向けて、上記後面側部材Ａに前面側部材Ｂを取着させ形成される第２接続開口２の、配管カバー１０が接続されない側の第２接続開口２に装着させてその開口を閉塞させる。
【００２８】
上記の配管カバー用接続継手９においては、まず、後面側部材Ａを、予め壁面等の固定面Ｄ，Ｄに、図３に示すように木ねじ等の固定具を用いて、各底面板３，６を固定孔Ｃを介して固定させる。次いで、その第１接続開口１を形成する底面板３及び第２接続開口２を形成する底面板６に、配管カバー１０の本体ベースの底板１０ａを当接させ設置させる。その後、エアコン配管である被覆銅管やドレンホース等を、第１接続開口１から第２接続開口２へわたって屈曲させて配管カバー１０，１０にわたってその本体ベースに配置し布設させた後、配管カバー１０，１０の本体カバーをその本体ベースに係合させ、さらに、その本体カバーの天板１０ｃに前面側部材Ｂの天面板５を当接させて前面側部材Ｂを後面側部材Ａに取着させる。このようにして、ダクトとなる配管カバー１０，１０同士の接続を行い、エアコン配管を、２つの直交する平面にわたって直角状にダクトひねりを行って設置することができる。
【００２９】
このとき、第２接続開口２が、第１接続開口１を形成する一対の側面板４の略同一面に位置させ配設されており、また、その側面板４，４の対向位置にそれぞれ設けられているので、１種類の配管カバー用接続継手９を用いて、図４（ａ）〜（ｃ）に示すように、配管カバー１０を、第１接続開口１に対して左右両側の向きの何れか一方あるいは両方にダクトひねりをさせて接続させ設置することができて、また、特に３つの面の直交する入り隅となる部位へも、その面の１つに接して設置させることもできて使い勝手が良好なものとなる。また、この場合、一方の第２接続開口２に配管カバー１０を接続させ、他方の第２接続開口２を閉塞部材８にて閉塞させてゴミ等の異物が第２接続開口２を介して配管カバー１０内部へ侵入するのが防止される。
【００３０】
したがって、以上説明した配管カバー用接続継手９によると、第２接続開口２が、その一方の側面板７を、第１接続開口１を形成する底面板３を延出させて、その他方の側面板７を、該第１接続開口１を形成する天面板５を延出し屈曲させてそれぞれ形成され、且つ該第１接続開口１を形成する側面板４を延出し開口させて形成される。すなわち、１つの配管カバー用接続継手９のみで、第２接続開口２を、第１接続開口１に対してひねりの位置に設けて、２つの直交する平面にわたって直角状にダクトひねりをさせることが可能となって、少ない部材で多数のエアコン配管を整然と設置し保護させることができる。
【００３１】
また、第２接続開口２が、第１接続開口１を形成する一対の側面板４，４の略同一面に位置させ配設されて、２つの直交する平面にわたって直角状にダクトひねりをさせることが可能となるので、３つの面の直交する入り隅となる部位へも、その面の１つに接して設置させることもできて使い勝手が良好なものとなり、また、配管カバー１０を、第１接続開口１に対して左右両側の向きにダクトひねりをさせて接続させ設置することもできるので、１種類の配管カバー用接続継手９を用いて配管カバー１０を、第１接続開口１に対して左右両側の向きの何れか一方あるいは両方にダクトひねりをさせて接続させ設置することができてより使い勝手が良好なものとなる。
【００３２】
また、第１接続開口１の一対の側面板４，４の対向位置にそれぞれ設けられた一方の第２接続開口２に配管カバー１０を接続させ、他方の第２接続開口２を閉塞部材８にて閉塞することができるので、配管カバー１０内部へ侵入するのが防止されて、施工品質が損なわれることが少ない。
【００３３】
また、後面側部材Ａを、予め壁面等の固定面Ｄに固定させた後、前面側部材Ｂを該後面側部材Ａに取着させてダクトとなる配管カバー１０，１０同士の接続を行い、２つの直交する平面にわたって直角状にダクトひねりを行って設置できるので、エアコン配管等の配管部材を配管カバー用接続継手９の前側から配置させることにて容易に施工を行うことができて施工性に優れ、しかも、配管カバー用接続継手９が２つの直交する平面それぞれに固定されて確実に位置決めさせ接続されるので、美観良く施工ができて仕上がり状態が良好なものとなる。
【００３４】
［第２の実施の形態］
図５は、第２の実施の形態の配管カバー用接続継手の概略構成を示す斜視図、図６は、同配管カバー用接続継手の説明図、図７は、同配管カバー用接続継手の使用状態の説明図である。
【００３５】
この実施の形態の配管カバー用接続継手は、第２接続開口の構成のみが第１の実施の形態と異なるもので、他の構成は第１の実施の形態のものと同一で、該実施の形態の配管カバー用接続継手９は、第２接続開口２を、前記第１接続開口１の底面板３からその天面板５側に向け離隔し位置させている。
【００３６】
この配管カバー用接続継手９は、上記の二つ割型の一方の後面側部材Ａは、図５に示す如く、略長方形状の第１接続開口１を形成する底面板３、及びこの底面板３両端から立ち上がる側面板４，４の半分と、略長方形状の第２接続開口２を、その第１接続開口１の直交面側となる、底面板３の延出方向と直交方向の両端に形成する底面板６、及びその第２接続開口２の一方の側面板７及び他方の側面板７の略半分とを有して、第２接続開口２の一方側辺が一方の側面板７離隔させ配設されている。また、他方の前面側部材Ｂが、上記第１接続開口１を形成する天面板５、及びこの天面板５両端から立ち下がる側面板４，４の半分と、第２接続開口２を形成する他方の側面板７の２／３程度を有して形成されている。
【００３７】
したがって、後面側部材Ａに前面側部材Ｂを取着させて後面側部材Ａの前面開口をカバーした状態では、図６に示すように、第２接続開口２全体が第１接続開口１の底面板３からその天面板５側に向け寸法ｄだけ離隔し位置することとなる。
【００３８】
上記の配管カバー用接続継手９においては、前述のエアコン配管等を、配管カバー１０の本体ベースに配置し布設させた後、配管カバー１０の本体カバーを、その本体ベースに係合させて配管カバー用接続継手９側に移動させ、配管カバー１０の設置を行うときに容易に移動できる。
【００３９】
すなわち、上記後面側部材Ａの、第１接続開口１を形成する底面板３及び第２接続開口２を形成する底面板６に、配管カバー１０の本体ベースの底板１０ａを当接させて設置させ、エアコン配管を第１接続開口１から第２接続開口２へわたって屈曲させて配管カバー１０，１０の本体ベース間にわたって配置し布設させ、配管カバー１０，１０の本体カバーをその本体ベースにそれぞれ係合させた後配管カバー用接続継手９側に移動させる。このとき、固定面Ｄと配管カバー１０の本体カバー及び本体ベースの側板１０ｂ、１０ｂとの間には、図７に示すように寸法ｄの隙間余裕があるので、配管カバー１０の本体カバーをその本体ベースに容易に係合させた後、さらに、その本体カバーの天板１０ｃに前面側部材Ｂの天面板５を当接させて前面側部材Ｂを後面側部材Ａに取着させることができるのである。
【００４０】
したがって、以上説明した配管カバー用接続継手９によると、２つの直交する平面にわたって直角状にダクトひねりされる一方のダクトが、第１接続開口１の底面板３からその天面板５側に向け離隔し位置させ配設された第２接続開口２に装着されるので、容易に配管カバー１０の本体カバーをその本体ベースに係合させることができ、以て、施工性に優れる。
【００４１】
なお、以上説明した本発明の配管カバー用接続継手は、上記に示されたエアコン配管の保護用以外に、配線ケーブル保護用のダクト接続、水道管等の水廻り配管の美観維持のためのもの、あるいは空調ダクト等、各種配管カバー用接続継手にも適用可能であることは言うまでもない。
【００４２】
【発明の効果】
本発明は、上述の実施態様の如く実施されて、請求項１記載の配管カバー用接続継手にあっては、第２接続開口を、第１接続開口に対してひねりの位置に設けて、２つの直交する平面にわたって直角状にダクトひねりをさせることが可能となって、少ない部材で多数のエアコン配管を整然と設置し保護させることができる。
【００４３】
また、請求項２記載の配管カバー用接続継手にあっては、２つの直交する平面にわたって直角状にダクトひねりされる一方のダクトが、第１接続開口の底面板からその天面板側に向け離隔し位置させ配設された第２接続開口に装着されるので、容易に配管カバーの本体カバーをその本体ベースに係合させることができ、以て、施工性に優れる。
【００４４】
また、請求項３記載の配管カバー用接続継手にあっては、第２接続開口が、第１接続開口を形成する一対の側面板の略同一面に位置させ配設されて、２つの直交する平面にわたって直角状にダクトひねりをさせることが可能となるので、３つの面の直交する入り隅となる部位へも、その面の１つに接して設置させることもできて使い勝手が良好なものとなる。
【００４５】
また、請求項４記載の配管カバー用接続継手にあっては、配管カバーを、第１接続開口に対して左右両側の向きにダクトひねりをさせて接続させ設置することもできるので、１種類の配管カバー用接続継手を用いて配管カバーを、第１接続開口に対して左右両側の向きの何れか一方あるいは両方にダクトひねりをさせて接続させ設置することができてより使い勝手が良好なものとなる。
【００４６】
また、請求項５記載の配管カバー用接続継手にあっては、第１接続開口の一対の側面板の対向位置にそれぞれ設けられた一方の第２接続開口に配管カバーを接続させ、他方の第２接続開口を閉塞部材にて閉塞することができるので、配管カバー内部へ侵入するのが防止されて、施工品質が損なわれることが少ない。
【００４７】
また、請求項６記載の配管カバー用接続継手にあっては、エアコン配管等の配管部材を配管カバー用接続継手の前側から配置させることにて容易に施工を行うことができて施工性に優れる。
【００４８】
また、請求項７記載の配管カバー用接続継手にあっては、配管カバー用接続継手が２つの直交する平面それぞれに固定されて確実に位置決めさせ接続されるので、美観良く施工ができて仕上がり状態が良好なものとなる。
【００４９】
【図面の簡単な説明】
【図１】本発明の第１の実施の形態の配管カバー用接続継手の概略構成を示す斜視図である。
【図２】同配管カバー用接続継手を示す分解斜視図である。
【図３】同配管カバー用接続継手の使用状態の説明図である。
【図４】同配管カバー用接続継手の使用状態の他の説明図である。
【図５】第２の実施の形態の配管カバー用接続継手の概略構成を示す斜視図である。
【図６】同配管カバー用接続継手の説明図である。
【図７】同配管カバー用接続継手の使用状態の説明図である。
【図８】配管カバー用接続継手であるフラットエルボの一使用状態を示す斜視図である。
【図９】配管カバー用接続継手であるインターナルエルボの一使用状態を示す斜視図である。
【図１０】本発明の従来例である配管カバー用接続継手を使用した状態を示す斜視図である。
【符号の説明】
１    第１接続開口
２    第２接続開口
３    底面板（第１接続開口）
４    側面板（第１接続開口）
５    天面板（第１接続開口）
６    底面板（第２接続開口）
７    側面板（第２接続開口）
８    閉塞部材
９    配管カバー用接続継手
１０  配管カバー
１０ａ  底板
１０ｂ  側板
１０ｃ  天板
Ａ    後面側部材
Ｂ    前面側部材
Ｃ    固定孔
Ｄ    固定面
【図１】
0003726637.tif 000002
【図２】
0003726637.tif 000003
【図３】
0003726637.tif 000004
【図４】
0003726637.tif 000005
【図５】
0003726637.tif 000006
【図６】
0003726637.tif 000007
【図７】
0003726637.tif 000008
【図８】
0003726637.tif 000009
【図９】
0003726637.tif 000010
【図１０】
0003726637.tif 000011